(57)【特許請求の範囲】
【請求項１】
肌対向面を形成する液透過性の表面シート、非肌対向面を形成する裏面シート及びこれら両シート間に配されている吸収体を備え、着用者の前後方向に沿う縦方向及び該縦方向に直交する横方向を有する経血吸収用の吸収性物品であって、
前記肌対向面における縦方向中央線の両側それぞれに側方防漏溝を有し、該側方防漏溝は、前記表面シートが前記吸収体に陥入した複数の短溝が、短溝間に隙間を有するように、前記縦方向に並んだ構成を有しており、
前記表面シートよりも前記裏面シートに近い位置に配された下方部材に血球凝集剤が含まれており、前記側方防漏溝における前記隙間又は該隙間の横方向の内側近傍が、前記下方部材における前記血球凝集剤が配されている部位と重なっており、
前記下方部材における前記血球凝集剤が配されている部位は、前記短溝間の隙間又は該隙間の前記横方向の内側近傍と重なる重複部分における血球凝集剤の単位面積当たりの存在量が、前記側方防漏溝と重ならない部分の血球凝集剤の単位面積当たりの存在量より多い、吸収性物品。
【請求項２】
吸収性物品の横方向の中央部に、前記血球凝集剤が配されていない部位を有している、請求項１に記載の吸収性物品。
【請求項３】
前記下方部材は、吸収性物品の厚み方向において前記表面シートに隣接する部材である、請求項１又は２に記載の吸収性物品。
【請求項４】
前記下方部材における前記血球凝集剤が配されている部位は、前記短溝間の隙間又は該隙間の前記横方向の内側近傍と重なる重複部分における該血球凝集剤の単位面積当たりの存在量が、６ｇ／ｍ2以上、８０ｇ／ｍ2以下である、請求項１〜３の何れか１項に記載の吸収性物品。
【請求項５】
前記血球凝集剤の重量平均分子量が２０００以上３０００万以下である、請求項１〜４の何れか１項に記載の吸収性物品。
【請求項６】
前記側方防漏溝は、非直線状の複数の短溝を含む、請求項１〜５の何れか１項に記載の吸収性物品。
【請求項７】
前記非直線状の前記複数の短溝は、前記横方向の内方又は外方に向かって凸状に湾曲した湾曲部を少なくとも１つ有している、請求項６に記載の吸収性物品。
【発明の詳細な説明】
【技術分野】
【０００１】
本発明は、経血吸収用の吸収性物品に関する。
【背景技術】
【０００２】
生理用ナプキン等の吸収性物品においては、防漏性やデザイン性の向上を目的として、着用者の肌側に向けられる表面シート側の面に、表面シートと吸収体とを加圧圧縮して形成された防漏溝を設けることが行われている（例えば、特許文献１参照）。
斯かる防漏溝は、一般に、着用時に着用者の液排泄部に対向配置される排泄スポット部の周囲を囲むように環状に形成されたり、排泄スポット部を挟む左右両側に縦方向に延びて形成されるが、いずれの場合も、連続する防漏溝を形成すると、吸収性物品の剛性が高まりフィット性が低下し易くなる。
そのため、特許文献１では、圧搾条溝が長手方向に分離する技術が提案されている。斯かる技術によれば、防漏溝が短溝間で折れ曲がることができるため、吸収性物品の柔軟性が向上する。
しかし、排泄スポット部に排泄された経血が、身体の動きに伴う生理用ナプキンの変形等により防漏溝における短溝どうし間の隙間を介して外方に拡散し易くなるため、吸収性物品の防漏性能が低下する恐れがある。
【０００３】
ところで、経血の吸収性能に関する技術に関し、血液に作用させる流体処理剤を、吸収性物品に適用して、該吸収性物品の諸性能を向上させる技術が知られている（例えば、特許文献２〜特許文献４）。特許文献２には、多価イオンの塩を含有する吸収性パッドを含む月経帯が開示されている。特許文献３には、部分水和無水ジカルボン酸コポリマー又はポリカチオンを血液ゲル化剤として含むナプキンが開示されている。特許文献４にはポリプロピレンオキシド及びポリエチレンオキシドを含むトリブロックポリマー又はポリカチオンを流体処理材として含むパーソナルケア吸収性物品が提案されている。
また、本出願人は、先に、水溶性の金属化合物を含む血液凝固剤を、吸収性コアに含有した吸収性物品を提案した（特許文献５参照）。
【先行技術文献】
【特許文献】
【０００４】
【特許文献１】特開２０１０−１４８７１９号公報
【特許文献２】特公昭３８−１７４４９号公報
【特許文献３】特開昭５７−１５３６４８号公報
【特許文献４】特表２００２−５２８２３２号公報
【特許文献５】特開２００５−２８７９９７号公報
【発明の概要】
【発明が解決しようとする課題】
【０００５】
しかし、特許文献１は、圧搾条溝が長手方向に分離した端部において、幅方向に重なってはいるが、離間部においては、着用時に吸収性物品がその部分において折れ易く、排泄量が多いときでは漏れが生じ易い。
また、特許文献２及び５には、血液凝固剤として水溶性の金属化合物を用いる以外、血液の吸収速度を向上させたり、吸収量を向上させる構成について何ら記載されていない。一方、特許文献３に記載の吸収性物品は、エンボスの形態が不明である上、血液ゲル化剤をエンボス線の末端あるいはその端に沿って集中させるので、当該部分で凝集塊が形成し、吸収体の吸収性能が十分に活用できない。更に特許文献４の技術では、赤血球塊が不織ウエブの繊維間に捕捉されるが、継続的に当該メカニズムによる血液の吸収を保障することは難しい。更には、特許文献３及び特許文献４には、吸収性物品にポリカチオンを含む流体処理剤を使用しうることは記載しているものの、実際にはノニオン系の処理材でのデータしか開示されていない。また、これらの技術では、吸収性物品の、着用者の排泄スポットに対向する部分での血液凝集物による通液性の低下により、血液の吸収体への吸収が妨げられ、血液が吸収するのに時間が掛かったり、血液の吸収量が低下するなどの点でも不利なものであった。
また、特許文献１〜特許文献５には、血液改質剤を、防漏溝に生じる表面シートと吸収体との間の剥離に伴う防漏性の低下の対策に使用することについて何ら記載されていない。
したがって、本発明の課題は、血球凝集剤による吸収性能の向上効果が一層効果的に発現される吸収性物品を提供することにある。
【０００６】
本発明の課題は、従来技術が有する解決課題を解決し得る吸収性物品を提供することに関する。
【課題を解決するための手段】
【０００７】
本発明は、肌対向面を形成する液透過性の表面シート、非肌対向面を形成する裏面シート及びこれら両シート間に配されている吸収体を備え、着用者の前後方向に沿う縦方向及び該縦方向に直交する横方向を有する経血吸収用の吸収性物品であって、前記肌対向面における縦方向中央線の両側それぞれに側方防漏溝を有し、該側方防漏溝は、前記表面シートが前記吸収体に陥入した複数の短溝が、短溝間に隙間を有するように、前記縦方向に並んだ構成を有しており、前記表面シートよりも前記裏面シートに近い位置に配された下方部材に血球凝集剤が含まれており、前記側方防漏溝における前記隙間又は該隙間の横方向の内側近傍が、前記下方部材における前記血球凝集剤が配されている部位と重なっている、吸収性物品を提供するものである。
【発明の効果】
【０００８】
本発明の吸収性物品は、フィット性及び防漏性に共に優れている。
【図面の簡単な説明】
【０００９】
【図１】図１は、本発明の吸収性物品の第１実施形態である生理用ナプキンを肌対向面側から視た平面図である。
【図２】図２は、図１のＩＩ−ＩＩ線模式断面図である。
【図３】図３（ａ）及び図３（ｂ）は、第１実施形態の生理用ナプキンにおける防漏溝と凝集剤配置部の位置関係を示す模式平面図である。図３（ｃ）は、別の実施形態における図３（ｂ）相当図である。
【図４】図４は、本発明の吸収性物品の第２実施形態である生理用ナプキンを肌対向面側から視た平面図である。
【発明を実施するための形態】
【００１０】
以下、本発明の経血吸収用の吸収性物品を、その好ましい実施形態に基づき図面を参照しつつ説明する。経血吸収用の吸収性物品は、生理用品に含まれる。
本発明の第１実施形態である生理用ナプキン１（以下、「ナプキン１」とも言う。）は、図１及び図２に示すように、肌対向面を形成する液透過性の表面シート２、非肌対向面を形成する裏面シート３及びこれら両シート２，３間に配されている液保持性の吸収体４を備えている。表面シート２、吸収体４及び裏面シート３は、一体化されて吸収性本体５を構成している。吸収性本体５の長手方向両側部の表面シート２側には、サイド防漏シート６が配されている。サイド防漏シート６は、表面シート２に接合されていない自由端６１と、表面シート２に接合された固定端６２とを有しており、使用時には、固定端６２と自由端６１との間が表面シート２から離間し、側方への横漏れを防止する防漏ポケット（図示せず）を形成する。吸収性本体５の非肌対向面にはショーツのクロッチ部への固定に用いられる本体粘着部（図示略）が設けられている。また、ナプキン１は、縦方向Ｘにおける両側部に、一対のウイング部７を有している。一対のウイング部７の裏面シート３側の面には、ショーツのクロッチ部の非肌対向面への固定に用いられるウイング部粘着部（図示略）が設けられている。
【００１１】
表面シート２、裏面シート３、サイド防漏シート６としては、生理用ナプキン等の吸収性物品に従来使用されている各種のもの等を特に制限なく用いることができる。例えば、表面シート２としては、単層又は多層構造の不織布や、開孔フィルム等を用いることができる。表面シート２は、肌対向面側に中実又は中空の凸部を有する凹凸を有するものであっても良く、また構成繊維の表面に油剤に付着しているものであっても良い。裏面シート３としては、樹脂フィルムや樹脂フィルムと不織布と積層体等を用いることができる。裏面シート３は、液不透過性（液難透過性も含む）又は撥水性のものが用いられ、透湿性の樹脂フィルム等を用いることも好ましい。サイド防漏シート６としては、耐水圧の高い積層不織布、樹脂フィルムと不織布との積層体等を用いることができる。
【００１２】
ナプキン１は、図１に示すように、ナプキン１は、着用者の前後方向に対応する縦方向Ｘ及び該縦方向Ｘに直交する横方向Ｙを有している。またナプキン１は、縦方向Ｘに、横方向Ｙ中央部に、膣口等の着用者の液排泄部に対向配置される排泄スポット部Ｐを有する排泄部対向部Ｂと、該排泄部対向部Ｂよりも着用者の腹側（前側）寄りに配される前方部Ａと、該排泄部対向部Ｂよりも着用者の背側（後側）寄りに配される後方部Ｃとを有している。即ち、ナプキン１は、縦方向Ｘに、前方部Ａ、排泄部対向部Ｂ及び後方部Ｃにこの順番に区分される。
【００１３】
本発明の吸収性物品において、肌対向面は、ナプキン１又はその構成部材（例えば表面シート２，吸収性コア４１）における、ナプキン１の着用時に着用者の肌側に向けられる面であり、非肌対向面は、ナプキン１又はその構成部材における、ナプキン１の着用時に肌側とは反対側（通常着衣側）に向けられる面である。排泄スポット部Ｐとは、ナプキン１等の吸収性物品の着用時に、着用者の液排泄部に対向配置され、経血が直接的に供給される部位であり、通常、前述した排泄部対向部Ｂの縦方向Ｘ及び横方向Ｙの中央部に位置している。
【００１４】
本発明の吸収性物品において、排泄部対向部Ｂとは、本実施形態のナプキン１のように、所謂ウイング部を有する場合には、吸収性物品の縦方向Ｘにおいて、一方のウイング部の縦方向Ｘに沿う付け根と他方のウイング部の縦方向Ｘに沿う付け根とに挟まれた領域を意味する。また、吸収性物品が、ウイング部を有しない場合には、吸収性物品が３つ折りの個装形態に折り畳まれた際に生じる、該吸収性物品を横方向Ｙに横断する２本の折曲線（図示せず）について、該吸収性物品の縦方向Ｘの前端から数えて第１折曲線と第２折曲線とに囲まれた領域を意味する。
【００１５】
ナプキン１においては、表面シート２は、吸収体４の肌対向面の全域を被覆し、裏面シート３は、吸収体４の非肌対向面の全域を被覆している。表面シート２及び裏面シート３は、吸収体４の縦方向Ｘの両端縁からの延出部分が互いに接合されている。また裏面シート３及びサイド防漏シート６は、吸収体４の縦方向Ｘに沿う両側縁から横方向Ｙの外方に延出した部分が互いに接合されている。このようにして、吸収体４が表面シート２と裏面シート３とで挟持されている。ナプキン１を構成するシート間の接合には、接着剤、ヒートシール、超音波シール等の任意の接合手段が用いられる。
【００１６】
本発明の吸収性物品は、肌対向面における縦方向中央線の両側それぞれに側方防漏溝を有する。１実施形態のナプキン１は、図１に示すように、ナプキン１の肌対向面における縦方向中央線ＣＬの両側それぞれに、縦方向Ｘに延びる側方防漏溝８１，８１を有しており、該側方防漏溝８１は、それぞれ、表面シート２が吸収体４内に陥入した複数の短溝８１ａ〜８１ｃが、短溝間に隙間８１ｄを有するように縦方向Ｙに並んだ構成を有している。側方防漏溝８１それぞれの前方部Ａ側の端部には、前方に向かって凸に湾曲又は屈曲した平面視形状の前方防漏溝８２が近接配置されており、側方防漏溝８１それぞれの後方部Ｃ側の端部には、後方に向かって凸に湾曲又は屈曲した平面視形状の後方防漏溝８３が近接配置されている。一対の側方防漏溝８１，８１、前方防漏溝８２及び後方防漏溝８３は、断続的に配置された複数の防漏溝からなる環状の防漏溝８を形成している。環状の防漏溝８は、排泄スポット部Ｐの周囲を囲むように形成されている。
【００１７】
一対の側方防漏溝８１のそれぞれは、横方向Ｙにおける排泄スポット部Ｐを挟む両側それぞれにおいて、ナプキン１の縦方向Ｘに延びている。一対の側方防漏溝８１，８１は、少なくとも排泄部対向部Ｂにおける、排泄スポット部Ｐを挟む両側それぞれにおいて、縦方向Ｘに延びていることが好ましい。側方防漏溝８１は、排泄部対向部Ｂから前方部Ａ又は後方部Ｃに亘ってそれぞれ延在していることが好ましく、図１に示すように、前方部Ａ、排泄部対向部Ｂ及び後方部Ｃに亘ってそれぞれ延在していることがより好ましい。
【００１８】
本実施形態における側方防漏溝８１は、複数の短溝８１ａ〜８１ｃとして、排泄部対向部Ｂにおいて、好ましくは、排泄スポット部Ｐを挟んでその横方向Ｙの両側に位置する部分に位置する中央短溝８１ｂと、中央短溝８１ｂより前方に位置する前方短溝８１ａと、中央短溝８１ｂより後方に位置する後方短溝８１ｃとを有している。
図３（ａ）及び図３（ｂ）に示すように、縦方向Ｘにおいて隣り合う短溝どうし、すなわち前方短溝８１ａと中央短溝８１ｂ及び中央短溝８１ｂと後方短溝８１ｃは、隙間８１ｄを介して近接配置されている。縦方向Ｘにおいて隣り合う短溝どうし間の隙間８１ｄは、短溝間の距離が最小となる２点Ｐ１，Ｐ２間の距離Ｗ〔図３（ｂ）参照〕が、吸収性物品の柔軟性の向上の観点から、好ましくは０．５ｍｍ以上であり、より好ましくは１ｍｍ以上であり、また、防漏性の向上の観点から、好ましくは１０ｍｍ以下であり、より好ましくは８ｍｍ以下であり、柔軟性と防漏性の両立の観点から、好ましくは０．５ｍｍ以上１０ｍｍ以下であり、より好ましくは１ｍｍ以上８ｍｍ以下である。
【００１９】
側方防漏溝８１を構成する短溝８１ａ〜８１ｃ、前方防漏溝８２及び後方防漏溝８３のいずれにおいても、吸収体４の肌対向面側が、表面シート２とともに溝状に陥没しており、吸収体４は、各溝８１ａ〜８１ｃ，８２，８３が形成されている部位が、それぞれ、該吸収体４における、該溝８１ａ〜８１ｃ，８２，８３を挟んでその両側に位置する部分に比して圧密化している。側方防漏溝８１を構成する短溝８１ａ〜８１ｃ、前方防漏溝８２及び後方防漏溝８３は、例えば、表面シート２と吸収体４とを重ねたものに対して、加圧、又は加熱及び加圧を伴うエンボス加工を施すことにより形成することができる。各防漏溝８１〜８３の主たる役割は、ナプキン１の平面方向の液の拡散抑制である。
【００２０】
ナプキン１の吸収体４は、図２に示すように、パルプ繊維を含む吸収性コア４１と該吸収性コア４１を被覆するコアラップシート４２とを有している。
本実施形態におけるコアラップシート４２は、吸収性コア４１の肌対向面側を被覆する肌側部分４２ａと、吸収性コア４１の非肌対向面側に巻き下げられて、該吸収性コア４１の非肌対向面側を被覆する非肌部分４２ｂとを有している。また、コアラップシート４２は、非肌部分４２ｂにシートどうしの重なり部４２ｃを有している。
吸収性コア４１を被覆するコアラップシートは、一枚のシートで吸収性コア４１の全体を包んでいても良いし、２枚以上のシートで吸収性コア４１の全体を包んでいても良い。例えば、吸収性コア４１の肌対向面側と非肌対向面側とが別々のシートで被覆されていても良い。吸収性コア４１の被覆に使用されているシートの枚数に拘わらずに、吸収性コア４１の肌対向面側を被覆しているコアラップシートを肌側コアラップシート４２ａ、吸収性コア４１の非肌対向面側を被覆する部分を非肌側コアラップシート４２ｂともいう。
【００２１】
第１実施形態のナプキン１は、コアラップシート４２における、吸収性コア４１の肌対向面側を被覆する肌側部分（肌側コアラップシート）４２ａの符号９で示す円形部分が、血球凝集剤を含む凝集剤配置部９となっている。肌側コアラップシート４２ａは、ナプキン１の厚み方向において、表面シート２よりも裏面シート３に近い位置に配されている下方部材の一つである。ナプキン１は、下方部材として、肌側コアラップシート４２ａ、吸収性コア４１及び非肌側コアラップシート４２ｂを有している。血球凝集剤を含む凝集剤配置部９は、吸収性物品の厚み方向において表面シート２に隣接する下方部材である肌側コアラップシート４２ａに少なくとも形成されていることが好ましい。血球凝集剤を含む凝集剤配置部９は、肌側コアラップシート４２ａのみに形成されていても良いが、肌側コアラップシート４２ａ及び吸収性コア４１に形成されていることが好ましく、更に肌側コアラップシート４２ａ、吸収性コア４１及び非肌側コアラップシート４２ｂに亘るように形成されていることが更に好ましい。血球凝集剤を含む凝集剤配置部９は、吸収体４の構成や、表面シート２と吸収体４の間にセカンドシートがあるか否かによらず、表面シート２の非肌対向面に隣接する部材から裏面シート３の肌対向面に隣接する部材に至る全ての下方部材に亘っていることが好ましい。これらの何れの態様においても、凝集剤配置部９が、「下方部材における血球凝集剤が配されている部位」である。
【００２２】
図３（ａ）及び図３（ｂ）は、第１実施形態のナプキン１における、側方防漏溝８１を構成する短溝８１ａ〜８１ｃ、前方防漏溝８２及び後方防漏溝８３と、凝集剤配置部９との位置関係を示す模式平面図である。図３（ａ）に示すように、第１実施形態のナプキン１においては、各側方防漏溝８１における短溝間の隙間８１ｄ及び該隙間８１ｄの横方向の内側近傍が、肌側コアラップシート４２ａ等の下方部材に形成された凝集剤配置部９と重なっている。
なお、「隙間又は該隙間の横方向の内側近傍が・・凝集剤配置部９と重なっている」という表現には、隙間８１ｄのみが凝集剤配置部９と重なっている場合と、隙間８１ｄの横方向Ｙの内側近傍のみが凝集剤配置部９と重なっている場合と、隙間８１ｄ及び該隙間８１ｄの横方向Ｙの内側近傍の両部位が、凝集剤配置部９と重なっている場合とが含まれる。なお、図３（ｂ）は、側方防漏溝８１を形成する短溝における、図３（ａ）に示す複数の凝集剤配置部９のうち符号Ｓで示す凝集剤配置部９と重なる部分を示す。
【００２３】
隙間８１ｄの横方向Ｙの内側近傍は、図３（ｂ）に示すように、該隙間８１ｄにおける、排泄スポット部Ｐに供給された経血が流入する流入側の端部ｃの近傍Ｎを含んでいることが、防漏性の向上の観点から好ましい。
凝集剤配置部９と重なる内側近傍は、隙間８１ｄの流入側の端部ｃから凝集剤配置部９までの水平方向の最短距離が、好ましくは０ｍｍ以上５ｍｍ以下であり、より好ましくは０ｍｍ以上３ｍｍ以下である。第１実施形態のナプキン１においては、凝集剤配置部９が、隙間８１ｄと隙間８１ｄの内側近傍との両者と重なるように連続しているため、隙間８１ｄの流入側の端部ｃから凝集剤配置部９までの水平方向の最短距離は０ｍｍである。図３（ｃ）に、隙間８１ｄの横方向Ｙの内側近傍が、該隙間８１ｄの流入側の端部ｃの近傍Ｎを含んでいる別の例を示した。図３（ｃ）は、左側が、排泄スポット部Ｐに近い縦方向中央線側であり、右側が排泄スポットＰから遠い側である。縦方向Ｘにおいて隣り合う短溝８１ａ、８１ｂの隙間８１ｄは、短溝間の距離が最小となる２点Ｐ１，Ｐ２間の距離Ｗ〔図３（ｃ）参照〕が、吸収性物品の柔軟性の向上の観点から、好ましくは０．５ｍｍ以上であり、より好ましくは１ｍｍ以上であり、また、防漏性の向上の観点から、好ましくは１０ｍｍ以下であり、より好ましくは８ｍｍ以下であり、柔軟性と防漏性の両立の観点から、好ましくは０．５ｍｍ以上１０ｍｍ以下であり、より好ましくは１ｍｍ以上８ｍｍ以下である。
【００２４】
なお、第１実施形態のナプキン１においては、前方短溝８１ａと前方防漏溝８２との間及び後方短溝８１ｃと後方防漏溝８３との間のそれぞれに、側方防漏溝８１を形成する短溝間の隙間８１ｄと同様の隙間８１ｅが形成されており、その隙間８１ｅ及び該隙間８１ｅの幅方向内側の近傍も、肌側コアラップシート４２ａ等の下方部材に形成された凝集剤配置部９と重なっている。隙間８１ｅ及び該隙間８１ｅの幅方向内側の近傍の一方又は双方が凝集剤配置部９と重なっていると、隙間８１ｅを介した経血の移動が抑制され、ナプキン１の漏れ防止性能が向上するので好ましい。
【００２５】
図４は、本発明の第２実施形態の生理用ナプキン１Ａ（以下、「ナプキン１Ａ」ともいう）を示す平面図であり、肌側コアラップシート４２ａ等の下方部材における凝集剤配置部９Ａ，９Ａを併せて示してある。第２実施形態のナプキン１Ａにおいては、肌側コアラップシート４２ａ等の下方部材における、吸収性物品の縦方向中央線ＣＬの両側それぞれに、一対の帯状の凝集剤配置部９Ａ，９Ａが、それぞれ縦方向Ｘに延びて形成されている。より詳細には、凝集剤配置部９Ａ，９Ａは、ナプキン１の平面視における、排泄スポット部Ｐを挟む両側それぞれに、それぞれ縦方向Ｘに連続して延びて形成されていることが、防漏溝の内側から外側への経血の移動が抑制され、良好な防漏性能が維持される点より好ましい。
第２実施形態のナプキン１Ａにおいても、一対の側方防漏溝８１のそれぞれが、前方短溝８１ａ、中央短溝８１ｂ及び後方短溝８１ｃを有しており、各側方防漏溝８１における、縦方向Ｘにおいて隣り合う短溝どうし間の隙間８１ｄ及び該隙間８１ｄの横方向の内側近傍が、凝集剤配置部９Ａと重なっている。
なお、第２実施形態のナプキン１Ａについて、特に説明しない点は、第１実施形態のナプキン１と同様であり、第１実施形態についての説明が適宜適用される。
【００２６】
コアラップシートは、単独では保形性が不十分な吸収性コアの保形性を高めたり、吸収性コアの構成材料の漏れ出しを防止する目的で使用されるものであり、薄紙や不織布等の繊維シートが使用されている。
薄紙を構成するセルロース系繊維としては、木材パルプ繊維、レーヨン繊維、コットン繊維、酢酸セルロース繊維等が挙げられる。セルロース系繊維の原料パルプとしては、針葉樹クラフトパルプ或いは広葉樹クラフトパルプのような木材パルプ、木綿パルプ或いはワラパルプ等の非木材パルプが挙げられる。これらのセルロース系繊維は１種を単独で又は２種以上を組み合わせて用いることができる。また強度向上の観点から、非セルロース系繊維を少量混合することもできる。非セルロース系繊維としては、ポリエチレン、ポリプロピレン等のポリオレフィン系繊維、ポリエステル、ポリアミド等の縮合系繊維等が挙げられる。薄紙の構成繊維中、セルロース系繊維の割合は、好ましくは７０質量％以上１００質量％以下、より好ましくは９０質量％以上１００質量％以下、更に好ましくは１００質量％である。
コアラップシートとして不織布を用いることもできる。コアラップシートに用いる不織布としては、各種製法による不織布を特に制限なく用いることができ、例えば、スパンボンド不織布、メルトブロー不織布、高速水流処理により繊維ウエブの構成繊維同士を交絡させて得られる不織布であるスパンレース不織布、熱風処理により繊維ウエブの構成繊維同士を熱融着させて得られる不織布であるエアスルー不織布、接着剤で繊維ウエブの構成繊維同士を接着させて得られる不織布であるレジンボンド不織布等が挙げられる。スパンレース不織布やエアスルー不織布、レジンボンド不織布の繊維ウエブは、カード機や空気中で繊維を積繊してなるエアレイド法等によって製造することができる。
【００２７】
不織布の原料繊維は、木材パルプ繊維、レーヨン繊維、コットン繊維、酢酸セルロース等のセルロース系の親水性繊維や、ポリエチレン、ポリプロピレン等のポリオレフィン、ポリエチレンテレフタレート等のポリエステル、ナイロン等のポリアミド等の合成樹脂からなる合成繊維が挙げられる。合成繊維は、芯鞘型やサイドバイサイド型の複合繊維を用いることもできる。これらの中でも、薄紙を用いるのと同様の理由から、上述の何れの不織布製法を採った場合も、原料繊維がセルロース系繊維であるものが好ましい。不織布の構成繊維中、セルロース系繊維の割合は、好ましくは７０質量％以上１００質量％以下、より好ましくは９０質量％以上１００質量％以下、更に好ましくは１００質量％である。不織布の原料繊維は１種を単独で又は２種以上を組み合わせて用いることができる。
【００２８】
本実施形態のナプキン１の吸収性コア４１は、パルプ繊維と高吸収性ポリマーとの混合積繊体からなる。混合積繊体は、周面に集積用凹部を有する積繊ドラムを備えた公知のドラム式積繊装置により製造されたものであり、集積用凹部の底面から吸引しつつ、積繊ドラムの周面に、吸収性コアの形成材料としてのパルプ繊維及び高吸収性ポリマーを飛散状態にて供給し、吸収性コアの形成材料を集積用凹部内に堆積させた後、集積用凹部から離型して得られるものである。本実施形態のナプキン１の吸収性コア４１は、高吸収性ポリマーを含まないパルプ繊維の単独積繊体であっても良い。
【００２９】
吸収性コア４１を構成するパルプ繊維としては、木材パルプ繊維、レーヨン繊維、コットン繊維、酢酸セルロース等のセルロース系の親水性繊維が挙げられる。これらの繊維は、１種を単独で又は２種以上を組み合わせて用いることができる。パルプ繊維の原料パルプとしては、針葉樹クラフトパルプ或いは広葉樹クラフトパルプのような木材パルプ、木綿パルプ或いはワラパルプ等の非木材パルプが挙げられる。また強度向上の観点から、吸収性コア４１には、セルロース系の親水性繊維からなるパルプ繊維の他に、ポリエチレン、ポリプロピレン等のポリオレフィン系繊維、ポリエステル、ポリアミド等の縮合系繊維等の合成繊維を少量混ぜても良い。なお、本発明における吸収性コアは、パルプ繊維（セルロース系繊維）、特に木材パルプ繊維の割合が、好ましくは７０質量％以上１００質量％以下、より好ましくは９０質量％以上１００質量％以下、更に好ましくは１００質量％である。
【００３０】
また、吸収性コア４１には吸水性ポリマーが含有されていてもよい。高吸収性ポリマーとしては、一般に粒子状のものが用いられるが、繊維状のものでもよい。粒子状の高吸収性ポリマーを用いる場合、その形状は球状、塊状、俵状又は不定形のいずれでもよい。高吸収性ポリマーとしては、一般に、アクリル酸又はアクリル酸アルカリ金属塩の重合物又は共重合物を用いることができる。その例としては、ポリアクリル酸及びその塩並びにポリメタクリル酸及びその塩が挙げられる。ポリアクリル酸塩やポリメタクリル酸塩としては、ナトリウム塩を好ましく用いることができる。また、アクリル酸又はメタクリル酸にマレイン酸、イタコン酸、アクリルアミド、２−アクリルアミド−２−メチルプロパンスルホン酸、２−（メタ）アクリロイルエタンスルホン酸、２−ヒドロキシエチル（メタ）アクリレート又はスチレンスルホン酸等のコモノマーを高吸収性ポリマーの性能を低下させない範囲で共重合させた共重合物も用いることができる。吸水性ポリマーが含有されることで、より安定的に大量の血液などの排泄物を素早く吸収し、保持することができる。また、吸収性コア４１には、消臭剤や抗菌剤等を必要に応じて配合させても良い。
【００３１】
コアラップシート４２等のナプキンの構成部材に血球凝集剤を含有させて凝集剤配置部を形成する方法としては、その構成部材に血球凝集剤を保持させ得る限り特に制限されないが、例えば、血球凝集剤を、水、エタノール等の適宜の溶媒に溶解させ、溶液として、構成部材の所望の箇所に付着させた後、乾燥して溶媒を除去することが、コアラップシート４２に血球凝集剤を効果的に付着させる観点から好ましい。溶液を構成部材に付着させる方法としては、構成部材の所定箇所への溶液の滴下、各種の塗工方法を採用することができる。例えば、スプレー法、ディッピング法、転写法、ダイ塗工、グラビア塗工、インクジェット法、スクリーン印刷等の公知の液体塗工装置を用いた構成部材の所定箇所への液体の塗工等が挙げられる。また、乾燥は、加熱による乾燥、減圧による乾燥、加熱と減圧とを組み合わせた乾燥の何れでも良いが、これらの強制乾燥に代えて自然乾燥でも良い。
【００３２】
第１及び第２実施形態のナプキン１，１Ａは、通常の生理用ナプキンと同様に、ショーツのクロッチ部等にナプキン１の非肌対向面に設けられた粘着部で固定して使用される。
第１実施形態のナプキン１及び第２実施形態のナプキン１Ａにおいては、側方防漏溝８１が、連続する一方の防漏溝ではなく、より長さの短い複数の短溝８１ａ〜８１ｃから構成されており、側方防漏溝８が、縦方向Ｘにおいて隣り合う短溝間の隙間８１ｄで折れ曲がることができるため、ナプキン１，１Ａが柔軟性に優れている。
しかも、着用中に、排泄スポット部Ｐに経血が排泄され、その経血が、水平方向に拡散して、側方防漏溝８における短溝間の隙間８１ｄに達した場合であっても、該隙間８１ｄ又はその手前に位置する隙間８１ｄの横方向の内側近傍に配されている血球凝集剤が、その経血に作用し、経血内に赤血球の凝集塊１６を生じさせるため、経血１１が短溝間の隙間８１ｄを通って側方防漏溝８１の内側から外側へと拡散することが抑制される。それにより、横漏れ等の漏れを生じることが防止される。
更に、その経血成分が、縦方向に拡散し、前方防漏溝８２、後方防漏溝８３に沿って回り込み、短溝間の隙間８１ｅに達した場合であっても、隙間８１ｅの横方向の内側近傍に配されている血球凝集剤が、その経血に作用し、赤血球の凝集塊１６を生じさせるため、経血１１が短溝間８１ｅを通って側方防漏溝８１の内側から外側へと拡散することが抑制されることで防漏性能が維持される。
【００３３】
このような作用により、第１及び第２実施形態のナプキン１，１Ａは、柔軟性及び防漏性能に共に優れたものとなっている。また、表面シート２と吸収体４とを一体的に加圧圧縮して形成される防漏溝８において、表面シート２と吸収体４との間に隙間が生じた場合であっても、同様に、表面シート２と吸収体４との間の隙間に入り込んだ経血に、肌側コアラップシート４２等の下方部材に含有させた血球凝集剤が作用し、該隙間内やその近傍の吸収体４内に赤血球の凝集塊１６を生じさせることによって、経血が側方防漏溝８１を横断して外方に漏れ出すのを抑制させる観点から、肌側コアラップシート４２ａ等の下方部材の凝集剤配置部９又は９Ａは、以下の条件（１）〜（３）の何れか一以上を満たすことが好ましい。
（１）凝集剤配置部９又は９Ａは、防漏溝８の縦方向Ｘに延びる側方防漏溝８１と重なる重複部分における血球凝集剤の単位面積当たりの存在量が、６ｇ／ｍ2以上８０ｇ／ｍ2以下であり、より好ましくは１２ｇ／ｍ2以上７０ｇ／ｍ2以下である。
ここでいう、血球凝集剤の量とは、血球凝集剤がカチオン性ポリマーである場合、そのカチオン性ポリマーの純分量であり、血球凝集剤の単位面積当たりの量は、以下のようにして測定される。
[血球凝集剤の単位面積当たりの存在量の測定方法]
カチオン性ポリマーを溶解させた溶液を下方部材に塗工した後、該下方部材を３０℃１０％ＲＨの条件下で２時間静置して乾燥させる。次に該下方部材から凝集剤配置部を切り出し、その面積及び重量を測定し、測定した重量から、切り出した凝集剤配置部と同じ大きさの下方部材の重量を引いて凝集剤配置部におけるカチオン性ポリマーの重量を算出し、それを凝集剤配置部の面積で除することにより、血球凝集剤の単位面積当たりの存在量を算出する。
【００３４】
（２）使用する血球凝集剤の総量を抑制しつつ、効果的に赤血球の凝集塊１６の生成能及びそれによる防漏効果を向上させる観点より、防漏溝８の縦方向Ｘに延びる側方防漏溝８１と重なる重複部分における前記血球凝集剤の単位面積当たりの存在量が、側方防漏溝８１と重ならない部分の血球凝集剤の単位面積当たりの存在量より多いことが好ましい。さらに、吸収性物品の横方向の中央部に、血球凝集剤が配されていない部位を有していてもよい。横方向の中央部、例えば排泄スポット部Ｐ等に、血球凝集剤を配さない一方、側方防漏溝８１を構成する短溝間の隙間８１ｄ等と重なる部位に血球凝集剤を配することが、排泄スポット部Ｐ付近で凝集塊を生成させないことで、吸収量を低下させずに防漏効果を向上させることができる点や、肌に不快感を生じることを防止できる点等から一層好ましい。
【００３５】
（３）血球凝集剤として用いるカチオン性ポリマーは、その分子量が、２０００以上であることが好ましく、１万以上であることが更に好ましく、１５万以上であることが一層好ましい。分子量の上限値は、３０００万以下であることが好ましく、２２００万以下であることが更に好ましく、１０００万以下であることが一層好ましい。また、２０００以上３０００万以下であることが好ましく、１万以上２２００万以下であることが更に好ましく、１５万以上１０００万以下であることが一層好ましい。
【００３６】
また、ナプキン１，１Ａの表面シート２は、その全体が親水性であることが好ましく、少なくとも凝集剤配置部９，９Ａ及び防漏溝８、特に側方防漏溝８１と重なっている部位が親水性であることが好ましい。表面シート２が親水性であると、親水性である経血が吸収体内を拡散する際に、凝集剤配置部９の一部又は全体に重なっている側方防漏溝８１においても効率よく拡散する事ができる。
【００３７】
表面シート２の全体又は一部を親水性とする方法としては、表面シート２として、木材パルプ繊維、レーヨン繊維、コットン繊維、酢酸セルロース繊維等のセルロース系繊維を主たる構成繊維とする不織布や、ポリエチレン、ポリプロピレン等のポリオレフィン系繊維、ポリエステル、ポリアミド等の縮合系繊維等の合成繊維を親水性油剤で親水化した繊維を主たる構成繊維とする不織布等を用いる方法が挙げられる。
【００３８】
本発明の吸収性物品における短溝は、平面視して直線状のものであっても良いが、第１及び第２実施形態のナプキン１，１Ａにおけるように非直線状であることが好ましい。第１及び第２実施形態のナプキン１，１Ａにおける短溝８１ａ〜８１ｃにおいては、図３（ａ）に示すように、前方短溝８１ａ及び後方短溝８１ｃは、横方向Ｙの内方に向かって凸状に湾曲した１つの湾曲部ａと横方向Ｙの外方に向かって凸状に湾曲した１つの湾曲部ｂを有しており、中央短溝８１ｂは、横方向Ｙの外方に向かって凸状に湾曲した１つの湾曲部ｂとその前後に位置する、横方向Ｙの内方に向かって凸状に湾曲した２つの湾曲部ａを有していることが好ましい。外方に向かって凸状に湾曲した１つの湾曲部を有することは、ナプキンのウィング部中央に向かって、横方向Ｙの左右から外力が加わったとき、ナプキンが着用者の肌側に隆起するよう促されるため、外力が分散し、側方防漏溝８１に与えられる外力が低減する。その結果、側方防漏溝８１部における表面シートの吸収体からの剥離や、吸収体の加圧圧縮部に生じる隙間の程度および発生頻度が低減する。したがって、防漏溝による液の移動阻止、吸収性物品の防漏性能が一層向上する等の点より好ましい。
また、側方防漏溝８１を構成する短溝８１ａ〜８１ｃが、非直線状であることにより、側方防漏溝８１が、より折れ曲がり易くなり、短溝８１ａ〜８１ｃが、横方向の内方又は外方に向かって凸状に湾曲した湾曲部ａ又はｂを少なくとも１つ有していると、側方防漏溝８１が、より折れ曲がり易くなる。
肌側コアラップシート４２ａ等の下方部材に血球凝集剤を含有させると、その種類や塗布量等によっては、該下方部材の柔軟性が低下することがある。側方防漏溝８１が非直線状、より好ましくは１つ以上の湾曲部ａ，ｂを有する非直線状であると、ナプキン１、１Ａが一層柔軟に折れ曲がり易くなり、血球凝集剤による下方部材の硬化の影響よりも十分に大きい柔軟性向上効果が得られる。
【００３９】
本発明の血球凝集性繊維に用いられる血球凝集剤としては、血液中の赤血球を凝集させ得る作用を有するものが用いられる。血球凝集剤によって凝集した赤血球は凝集塊となる。血球凝集剤としてはカチオン性ポリマーが有用である。その理由は次のとおりである。赤血球はその表面に赤血球膜を有する。赤血球膜は、２層構造を有している。この２層構造は、下層である赤血球膜骨格と上層である脂質皮膜からなる。赤血球の表面に露出している脂質皮膜には、グリコホリンと呼ばれるタンパク質が含まれている。グリコホリンはその末端にシアル酸と呼ばれるアニオン電荷を帯びた糖が結合した糖鎖を有している。その結果、赤血球はアニオン電荷を帯びたコロイド粒子として扱うことができる。コロイド粒子の凝集には一般に凝集剤が用いられる。赤血球がアニオン性のコロイド粒子であることを考慮すると、凝集剤としてはカチオン性の物質を用いることが、赤血球の電気二重層を中和する点から有利である。また凝集剤が高分子鎖を有していると、赤血球の表面に吸着した凝集剤の高分子鎖どうしの絡み合いが生じやすくなり、そのことに起因して赤血球の凝集が促進される。更に、凝集剤が官能基を有している場合には、該官能基間の相互作用によっても赤血球の凝集が促進されるので好ましい。血球凝集剤（カチオン性ポリマー）によれば、以上の作用機序によって経血中に赤血球の凝集塊を生成することが可能になる。
【００４０】
本発明において血球凝集剤は、血液中の赤血球を凝集させ得る作用を有するものであり、具体的には、下記の擬似血液に、測定サンプル剤を１０００ｐｐｍ添加した際に、血液の流動性が維持された状態で、少なくとも２個以上の赤血球が凝集して凝集塊を形成する性質を有するものを用いる。斯かる性質により、血液中の赤血球を凝集させて凝集塊が形成され、形成した赤血球の凝集塊と血漿成分とが分離される。
【００４１】
前記の「血液の流動性が維持された状態」は、測定サンプル剤が１０００ｐｐｍ添加された擬似血液１０ｇをスクリュー管瓶（マルエム社製  品番「スクリュー管Ｎｏ．４」、口内径１４．５ｍｍ、胴径２７ｍｍ、全長５５ｍｍ）に入れ、該擬似血液を入れたスクリュー管瓶を１８０度反転した際に、５秒以内で８０％以上の該擬似血液が流れ落ちる状態を意味する。擬似血液とは、Ｂ型粘度計（東機産業株式会社製  型番ＴＶＢ−１０Ｍ、測定条件：ローターＮｏ．１９、３０ｒｐｍ、２５℃、６０秒間）を用いて測定した粘度が８ｍＰａ・ｓになるように脱繊維馬血（株式会社日本バイオテスト研究所製）の血球・血漿比率を調製したものである。
【００４２】
また、前記の「２個以上の赤血球が凝集して凝集塊を形成」しているか否かは、次のようにして判断される。すなわち、測定サンプル剤が１０００ｐｐｍ添加された擬似血液を、生理食塩水で４０００倍に希釈し、レーザー回折／散乱式粒度分布測定装置（ＨＯＲＩＢＡ社製  型番：ＬＡ−９５０Ｖ２、測定条件：フロー式セル測定、循環速度１、超音波なし）を用いたレーザー回折散乱法によって、温度２５℃にて測定した体積粒径平均のメジアン径が、１０μｍ以上である場合に、「２個以上の赤血球が凝集して凝集塊を形成」していると判断する。
【００４３】
本発明で用いられる血球凝集剤は、前記の性質に当てはまる単一の化合物若しくは前記の性質に当てはまる単一の化合物の複数の組み合わせ、又は複数の化合物の組み合わせによって前記の性質を満たす（赤血球の凝集を発現し得る）剤である。つまり血球凝集剤とは、あくまで前記定義によるところの赤血球凝集作用があるものに限定した剤のことである。したがって、血球凝集剤に、前記定義に当てはまらない第三成分を含む場合には、それを血球凝集剤組成物と表現し、血球凝集剤と区別する。
【００４４】
本発明で用いる血球凝集剤としては、カチオン性ポリマーを含むものが好適なものとして挙げられる。カチオン性ポリマーとしては、例えばカチオン化セルロースや、塩化ヒドロキシプロピルトリモニウムデンプン等のカチオン化デンプンなどが挙げられる。また、本発明で用いられる血球凝集剤は、カチオン性ポリマーとして、第４級アンモニウム塩ホモポリマー、第４級アンモニウム塩共重合物又は第４級アンモニウム塩重縮合物を含むこともできる。本発明において「第４級アンモニウム塩」とは、窒素原子の位置にプラス一価の電荷を有している化合物、又は中和によって窒素原子の位置にプラス一価の電荷を生じさせる化合物を包含し、その具体例としては、第４級アンモニウムカチオンの塩、第３級アミンの中和塩、及び水溶液中でカチオンを帯びる第３級アミンが挙げられる。以下に述べる「第４級アンモニウム部位」も同様の意味で用いられ、水中で正に帯電する部位である。また、本発明において「共重合物」とは、２種以上の重合性単量体の共重合によって得られた重合物のことであり、二元系共重合物及び三元系以上の共重合物の双方を包含する。本発明において「重縮合物」とは、２種以上の単量体からなる縮合物を重合することで得られた重縮合物である。
【００４５】
本発明で用いる血球凝集剤が、カチオン性ポリマーとして、第４級アンモニウム塩ホモポリマー及び／又は第４級アンモニウム塩共重合物及び／又は第４級アンモニウム塩重縮合物を含む場合、該血球凝集剤は、第４級アンモニウム塩ホモポリマー、第４級アンモニウム塩共重合物及び第４級アンモニウム塩重縮合物のうちのいずれか１種を含んでいてもよく、あるいは任意の２種以上の組み合わせを含んでいてもよい。また第４級アンモニウム塩ホモポリマーは、１種を単独で又は２種以上を組み合わせて用いることができる。同様に、第４級アンモニウム塩共重合物は、１種を単独で又は２種以上を組み合わせて用いることができる。更に同様に、第４級アンモニウム塩重縮合物は、１種を単独で又は２種以上を組み合わせて用いることができる。このように、本明細書において「血球凝集剤」とは、血液の赤血球を凝集させることができる単一の化合物若しくは又はその単一の化合物の組合せ、又は、複数の化合物の組み合わせによって赤血球の凝集を発現する剤のことである。つまり、血球凝集剤とは、あくまで赤血球凝集作用があるものに限定した剤のことである。したがって、血球凝集剤に第三成分を含む場合には、それを血球凝集剤組成物と表現し、血球凝集剤と区別する。なお、ここでいう「単一の化合物」とは、同じ組成式を有するが、繰り返し単位数が異なることにより、分子量が異なる化合物を含める概念である。
【００４６】
前述した各種のカチオン性ポリマーのうち、特に、第４級アンモニウム塩ホモポリマー、第４級アンモニウム塩共重合物又は第４級アンモニウム塩重縮合物を用いることが、赤血球への吸着性の点から好ましい。以下の説明においては、簡便のため、第４級アンモニウム塩ホモポリマー、第４級アンモニウム塩共重合物及び第４級アンモニウム塩重縮合物を総称して「第４級アンモニウム塩ポリマー」と言う。
【００４７】
第４級アンモニウム塩ホモポリマーは、第４級アンモニウム部位を有する重合性単量体を１種用い、これを重合することで得られたものである。一方、第４級アンモニウム塩共重合物は、第４級アンモニウム部位を有する重合性単量体を少なくとも１種用い、必要に応じ第４級アンモニウム部位を有さない重合性単量体を少なくとも１種用い、これらを共重合することで得られたものである。すなわち第４級アンモニウム塩共重合物は、第４級アンモニウム部位を有する重合性単量体を２種以上用い、これらを共重合させて得られたものであるか、又は第４級アンモニウム部位を有する重合性単量体を１種以上と、第４級アンモニウム部位を有さない重合性単量体を１種以上用い、これらを共重合させて得られたものである。第４級アンモニウム塩共重合物は、ランダム共重合物でもよく、交互共重合物でもよく、ブロック共重合物でもよく、あるいはグラフト共重合物でもよい。第４級アンモニウム塩重縮合物は、第４級アンモニウム部位を有する単量体１種以上からなる縮合物を用い、それら縮合物を重合することで得られたものである。すなわち第４級アンモニウム塩重縮合物は、第４級アンモニウム部位を有する単量体２種以上の縮合物を用い、これを重合させて得られたものであるか、又は、第４級アンモニウム部位を有する単量体１種以上と、第４級アンモニウム部位を有さない単量体１種以上からなる縮合物を用い、これを縮重合させて得られたものである。
【００４８】
第４級アンモニウム塩ポリマーは、第４級アンモニウム部位を有するカチオン性のポリマーである。第４級アンモニウム部位は、アルキル化剤を用いた第３級アミンの第４級アンモニウム化によって生成させることができる。あるいは第３級アミンを酸若しくは水に溶解させ、中和で生じさせることができる。あるいは縮合反応を含む求核反応による第４級アンモニウム化によって生成させることができる。アルキル化剤としては、例えばハロゲン化アルキルや、硫酸ジメチル及び硫酸ジメチルなどの硫酸ジアルキルが挙げられる。これらのアルキル化剤のうち、硫酸ジアルキルを用いると、ハロゲン化アルキルを用いた場合に起こり得る腐食の問題が生じないので好ましい。酸としては、例えば塩酸、硫酸、硝酸、酢酸、クエン酸、リン酸、フルオロスルホン酸、ホウ酸、クロム酸、乳酸、シュウ酸、酒石酸、グルコン酸、ギ酸、アスコルビン酸、ヒアルロン酸などが挙げられる。特に、アルキル化剤によって第３級アミン部位を第４級アンモニウム化した第４級アンモニウム塩ポリマーを用いると、赤血球の電気二重層を確実に中和できるので好ましい。縮合反応を含む求核反応による第４級アンモニウム化は、ジメチルアミンとエピクロルヒドリンの開環重縮合反応、ジシアンジアミドとジエチレントリアミンの環化反応のようにして生じさせることができる。
【００４９】
経血中に赤血球の凝集塊を生成させるためには、カチオン性ポリマーを用いることが特に有効であることが本発明者の検討の結果判明した。この理由は次のとおりである。赤血球はその表面に赤血球膜を有する。赤血球膜は、２層構造を有している。この２層構造は、下層である赤血球膜骨格と上層である脂質皮膜からなる。赤血球の表面に露出している脂質皮膜には、グリコホリンと呼ばれるタンパク質が含まれている。グリコホリンはその末端にシアル酸と呼ばれるアニオン電荷を帯びた糖が結合した糖鎖を有している。その結果、赤血球はアニオン電荷を帯びたコロイド粒子として扱うことができる。コロイド粒子の凝集には一般に凝集剤が用いられる。赤血球がアニオン性のコロイド粒子であることを考慮すると、凝集剤としてはカチオン性の物質を用いることが、赤血球の電気二重層を中和する点から有利である。また凝集剤が高分子鎖を有していると、赤血球の表面に吸着した凝集剤の高分子鎖どうしの絡み合いが生じやすくなり、そのことに起因して赤血球の凝集が促進される。更に、凝集剤が官能基を有している場合には、該官能基間の相互作用によっても赤血球の凝集が促進されるので好ましい。
【００５０】
前述した通り、血球凝集剤として用いるカチオン性ポリマーは、赤血球の凝集塊を効果的に生成させる観点から、その分子量が、２０００以上であることが好ましく、１万以上であることが更に好ましく、１５万以上であることが一層好ましい。カチオン性ポリマーの分子量がこれらの値以上であることによって、赤血球間でのカチオン性ポリマーどうしの絡み合いや、赤血球間でのカチオン性ポリマーの架橋が十分に生じ、経血が赤血球の凝集塊を効果的に生成させ、血液の拡散を抑制する効果が高まるので一層好ましい。分子量の上限値は、３０００万以下であることが好ましく、２２００万以下であることが更に好ましく、１０００万以下であることが一層好ましい。カチオン性ポリマーの分子量がこれらの値以下であることによって、カチオン性ポリマーが経血中へ良好に溶解する。カチオン性ポリマーの分子量は、経血が赤血球と血漿に離され、赤血球の凝集塊を効果的に生成させ、血漿は高吸収ポリマーに効率よく吸収され、吸収量と吸収速度が高まるとともに、防漏溝の内側から外側への経血の移動が抑制され、良好な防漏性能が維持される観点から、２０００以上３０００万以下であることが好ましく、１万以上２２００万以下であることが更に好ましく、１５万以上１０００万以下であることが一層好ましい。
カチオン性ポリマーの分子量は、その重合条件を適切に選択することで制御することができる。また、上述の分子量範囲内で、異なる分子量のカチオン性ポリマーを２種以上組合せても良い。カチオン性ポリマーの分子量は、東ソー株式会社製のＨＬＣ−８３２０ＧＰＣを用いて測定することができる。具体的な測定条件は次のとおりである。なお、本発明に言う分子量とは、重量平均分子量のことである。
【００５１】
カラムとしては、東ソー株式会社製のガードカラムαと分析カラムα−Ｍを直列でつないだものを、カラム温度：４０℃で用いる。検出器は、ＲＩ（屈折率）を用いる。測定サンプルとしては、溶離液１ｍＬに対して１ｍｇの測定対象の処理剤（第４級アンモニウム塩ポリマー）を溶解させる。ヒドロキシエチルメタクリレートなどの水溶性重合性単量体を含む共重合体は、水に１５０ｍｍｏｌ／Ｌの硫酸ナトリウムと１質量％の酢酸を溶解させた溶離液を用いる。ヒドロキシエチルメタクリレートなどの水溶性重合性単量体を含む共重合体は、溶離液１０ｍＬに対して、分子量５９００のプルラン、分子量４７３００のプルラン、分子量２１．２万のプルラン、分子量７８．８万のプルラン、各２．５ｍｇ溶解させたプルラン混合物を、分子量標準として用いる。ヒドロキシエチルメタクリレートなどの水溶性重合性単量体を含む共重合体は流速：１．０ｍＬ／ｍｉｎ、注入量：１００μＬで測定する。ヒドロキシエチルメタクリレートなどの水溶性重合性単量体を含む共重合体以外は、エタノール：水＝３：７（体積比）に５０ｍｍｏｌ／Ｌの臭化リチウムと１質量％の酢酸を溶解させた溶離液を用いる。ヒドロキシエチルメタクリレートなどの水溶性重合性単量体を含む共重合体以外は、溶離液２０ｍＬに対して、分子量１０６のポリエチレングリコール（ＰＥＧ）、分子量４００のＰＥＧ、分子量１４７０のＰＥＧ、分子量６４５０のＰＥＧ、分子量５万のポリエチレンオキシド（ＰＥＯ）、分子量２３．５万のＰＥＯ、分子量８７．５万のＰＥＯ、各１０ｍｇ溶解させたＰＥＧ−ＰＥＯ混合物を、分子量標準として用いる。ヒドロキシエチルメタクリレートなどの水溶性重合性単量体を含む共重合体以外は流速：０．６ｍＬ／ｍｉｎ、注入量：１００μＬで測定する。
【００５２】
赤血球の凝集塊を効果的に生成させる観点から、カチオン性ポリマーは水溶性であることが好ましい。本発明において「水溶性」とは、１００ｍＬのガラスビーカー（５ｍｍΦ）に０．０５ｇの１ｍｍ以下の粉末状又は厚み０．５ｍｍ以下のフィルム状カチオン性ポリマーを２５℃の５０ｍＬイオン交換水に添加混合したときに、長さ２０ｍｍ、幅７ｍｍのスターラーチップを入れ、アズワン株式会社製マグネチックスターラーＨＰＳ−１００を用いて６００ｒｐｍ攪拌下、その全量が２４時間以内に水に溶解する性質のことである。なお、本発明において、更に好ましい溶解性としては、全量が３時間以内に水に溶解することが好ましく、全量が３０分以内に水に溶解することが更に好ましい。
【００５３】
カチオン性ポリマーは、主鎖とそれに結合した複数の側鎖とを有する構造のものであることが好ましい。特に第４級アンモニウム塩ポリマーは、主鎖とそれに結合した複数の側鎖とを有する構造のものであることが好ましい。第４級アンモニウム部位は側鎖に存在していることが好ましい。この場合、主鎖と側鎖とが１点で結合していると、側鎖の可撓性が阻害されにくくなり、側鎖に存在している第４級アンモニウム部位が赤血球の表面に円滑に吸着するようになる。尤も本発明において、カチオン性ポリマーの主鎖と側鎖とが２点又はそれ以上で結合していることは妨げられない。本発明において「１点で結合している」とは、主鎖を構成する炭素原子のうちの１個が、側鎖の末端に位置する１個の炭素原子と単結合していることをいう。「２点以上で結合している」とは、主鎖を構成する炭素原子のうちの２個以上が、側鎖の末端に位置する２個以上の炭素原子とそれぞれ単結合していることをいう。
【００５４】
カチオン性ポリマーが、主鎖とそれに結合した複数の側鎖とを有する構造のものである場合、例えば第４級アンモニウム塩ポリマーが、主鎖とそれに結合した複数の側鎖とを有する構造のものである場合、各側鎖の炭素数は４以上であることが好ましく、５以上であることが更に好ましく、６以上であることが一層好ましい。炭素数の上限値は、１０以下であることが好ましく、９以下であることが更に好ましく、８以下であることが一層好ましい。例えば側鎖の炭素数は４以上１０以下であることが好ましく、５以上９以下であることが更に好ましく、６以上８以下であることが一層好ましい。側鎖の炭素数とは、該側鎖における第４級アンモニウム部位（カチオン部位）の炭素数のことであり、対イオンであるアニオン中に炭素が含まれているとしても、その炭素は計数に含まない。特に、側鎖の炭素原子のうち、主鎖に結合している炭素原子から、第４級窒素に結合している炭素原子までの炭素数が前述の範囲であることが、第４級アンモニウム塩ポリマーが赤血球の表面に吸着するときの立体障害性が低くなるので好ましい。
【００５５】
第４級アンモニウム塩ポリマーが、第４級アンモニウム塩ホモポリマーである場合、該ホモポリマーとしては、例えば第４級アンモニウム部位又は第３級アミン部位を有するビニル系単量体の重合物が挙げられる。第３級アミン部位を有するビニル系単量体を重合する場合には、重合前に及び／又は重合後に、第３級アミン部位をアルキル化剤によって第４級アンモニウム化した第４級アンモニウム塩ホモポリマーとなるか、重合前に及び／又は重合後に、第３級アミン部位を酸によって中和した第３級アミン中和塩となるか、重合後に水溶液中でカチオンを帯びる第３級アミンとなる。アルキル化剤や酸の例は、前述したとおりである。
【００５６】
特に第４級アンモニウム塩ホモポリマーは、以下の式１で表される繰り返し単位を有することが好ましい。
【００５７】
【化１】
0006669595.tif 000002
【００５８】
第４級アンモニウム塩ホモポリマーの具体例としては、ポリエチレンイミンなどが挙げられる。また、第４級アンモニウム部位を有する側鎖が、主鎖と１点で結合しているものであるポリ（２−メタクリルオキシエチルジメチルアミン４級塩）、ポリ（２−メタクリルオキシエチルトリメチルアンモニウム塩）、ポリ（２−メタクリルオキシエチルジメチルエチルアンモニウムメチル硫酸塩）、ポリ（２−アクリルオキシエチルジメチルアミン４級塩）、ポリ（２−アクリルオキシエチルトリメチルアミン４級塩）、ポリ（２−アクリルオキシエチルジメチルエチルアンモニウムエチル硫酸塩）、ポリ（３−ジメチルアミノプロピルアクリルアミド４級塩）、ポリメタクル酸ジメチルアミノエチル、ポリアリルアミン塩酸塩、カチオン化セルロース、ポリエチレンイミン、ポリジメチルアミノプロピルアクリルアミド、ポリアミジンなどが挙げられる。一方、第４級アンモニウム部位を有する側鎖が、主鎖と２点以上で結合しているホモポリマーの例としては、ポリジアリルジメチルアンモニウムクロライド、ポリジアリルアミン塩酸塩が挙げられる。
【００５９】
第４級アンモニウム塩ポリマーが、第４級アンモニウム塩共重合物である場合には、該共重合物として、前述した第４級アンモニウム塩ホモポリマーの重合に用いられる重合性単量体を２種以上用い共重合して得られた共重合物を用いることができる。あるいは、第４級アンモニウム塩共重合物として、前述した第４級アンモニウム塩ホモポリマーの重合に用いられる重合性単量体を１種以上と、第４級アンモニウム部位を有さない重合性単量体を１種以上用い共重合して得られた共重合物を用いることができる。更に、ビニル系重合性単量体に加えて、又はそれに代えて、他の重合性単量体、例えば−ＳＯ2−などを用いることもできる。第４級アンモニウム塩共重合物は、前述したとおり、二元系の共重合物又は三元系以上の共重合物であり得る。
【００６０】
特に、第４級アンモニウム塩共重合物は、前記の式１で表される繰り返し単位と、以下の式２で表される繰り返し単位とを有することが、赤血球の凝集塊を効果的に生成させる観点から好ましい。
【００６１】
【化２】
0006669595.tif 000003
【００６２】
また、第４級アンモニウム部位を有さない重合性単量体としては、カチオン性重合性単量体、アニオン性重合性単量体、又はノニオン性重合性単量体を用いることができる。これらの重合性単量体中で、特にカチオン性重合性単量体又はノニオン性重合性単量体を用いることで、第４級アンモニウム塩共重合物内において第４級アンモニウム部位との電荷相殺が起こらないので、赤血球の凝集を効果的に生じさせることができる。カチオン性重合性単量体の例としては、特定の条件下でカチオンを帯びる窒素原子を有する環状化合物としてビニルピリジンなど、特定の条件下でカチオンを帯びる窒素原子を主鎖に有する直鎖状化合物としてジシアンジアミドとジエチレントリアミンの縮合化合物などが挙げられる。アニオン性重合性単量体の例としては、２−アクリルアミド−２−メチルプロパンスルホン酸、メタクリル酸、アクリル酸、及び、スチレンスルホン酸、並びに、これらの化合物の塩などが挙げられる。一方、ノニオン性重合性単量体の例としては、ビニルアルコール、アクリルアミド、ジメチルアクリルアミド、エチレングリコール、プロピレングリコール、エチレングリコールモノメタクリレート、エチレングリコールモノアクリレート、ヒドロキシエチルメタクリレート、ヒドロキシエチルアクリレート、メチルメタクリレート、メチルアクリレート、エチルメタクリレート、エチルアクリレート、プロピルメタクリレート、プロピルアクリレート、ブチルメタクリレート、ブチルアクリレートなどが挙げられる。これらカチオン性重合性単量体、アニオン性重合性単量体、又はノニオン性重合性単量体は、それらのうちの一つを用いることができ、あるいは任意の２種以上を組み合わせて用いることができる。またカチオン性重合性単量体を２種以上組み合わせて用いることができ、アニオン性重合性単量体を２種以上組み合わせて用いることができ、あるいはノニオン性重合性単量体を２種以上組み合わせて用いることもできる。カチオン性重合性単量体、アニオン性重合性単量体及び／又はノニオン性重合性単量体を重合性単量体として用いて共重合された第４級アンモニウム塩共重合物は、その分子量が、前述のとおり１０００万以下であることが好ましく、特に５００万以下、とりわけ３００万以下であることが好ましい（以下に例示する第４級アンモニウム塩共重合物についても同様である。）。
【００６３】
第４級アンモニウム部位を有さない重合性単量体として、水素結合をすることが可能な官能基を有する重合性単量体を用いることもできる。このような重合性単量体を共重合に用いること、それから得られる第４級アンモニウム塩共重合物を用いて赤血球を凝集させたときに、硬い凝集塊が生じやすくなり、高吸収性ポリマーの吸収性能が一層阻害されにくくなる。水素結合をすることが可能な官能基としては、例えば−ＯＨ、−ＮＨ2、−ＣＨＯ、−ＣＯＯＨ、−ＨＦ、−ＳＨなどが挙げられる。水素結合をすることが可能な官能基を有する重合性単量体の例としては、ヒドロキシエチルメタクリレート、ビニルアルコール、アクリルアミド、ジメチルアクリルアミド、エチレングリコール、プロピレングリコール、エチレングリコールモノメタクリレート、エチレングリコールモノアクリレート、ヒドロキシエチルメタクリレート、ヒドロキシエチルアクリレートなどが挙げられる。特に、水素結合が強く働く、ヒドロキシエチルメタクリレート、２−ヒドロキシエチルメタクリレート、ヒドロキシエチルアクリレート、ジメチルアクリルアミドなどは、第４級アンモニウム塩ポリマーの赤血球への吸着状態が安定化するので好ましい。これらの重合性単量体は１種を単独で、又は２種以上を組み合わせて用いることができる。
【００６４】
第４級アンモニウム部位を有さない重合性単量体として、疎水性相互作用をすることが可能な官能基を有する重合性単量体を用いることもできる。このような重合性単量体を共重合に用いることで、前述した、水素結合をすることが可能な官能基を有する重合性単量体を用いる場合と同様の有利な効果、すなわち赤血球の硬い凝集塊が生じやすくなるという効果が奏される。疎水性相互作用をすることが可能な官能基としては、例えばメチル基、エチル基、ブチル基等のアルキル基、フェニル基、アルキルナフタレン基、フッ化アルキル基などが挙げられる。疎水性相互作用をすることが可能な官能基を有する重合性単量体の例としては、メチルメタクリレート、メチルアクリレート、エチルメタクリレート、エチルアクリレート、プロピルメタクリレート、プロピルアクリレート、ブチルメタクリレート、ブチルアクリレート、スチレンなどが挙げられる。特に、疎水性相互作用が強く働き、第４級アンモニウム塩ポリマーの溶解性を大きく低下させない、メチルメタクリレート、メチルアクリレート、ブチルメタクリレート、ブチルアクリレートなどは、第４級アンモニウム塩ポリマーの赤血球への吸着状態が安定化するので好ましい。これらの重合性単量体は１種を単独で、又は２種以上を組み合わせて用いることができる。
【００６５】
第４級アンモニウム塩共重合物中での、第４級アンモニウム部位を有する重合性単量体と、第４級アンモニウム部位を有さない重合性単量体とのモル比は、該第４級アンモニウム塩共重合物によって赤血球が十分に凝集するように適切に調整されることが好ましい。特に、第４級アンモニウム塩共重合物における第４級アンモニウム部位を有する重合性単量体のモル比は１０モル％以上であることが好ましく、２２モル％以上であることが更に好ましく、３２モル％以上であることが一層好ましく、３８モル％以上であることが更に一層好ましい。また、１００モル％以下であることが好ましく、８０モル％以下であることが更に好ましく、６５モル％以下であることが一層好ましく、５６モル％以下であることが更に一層好ましい。具体的には、第４級アンモニウム部位を有する重合性単量体のモル比は１０モル％以上１００モル％以下であることが好ましく、２２モル％以上８０モル％以下であることが更に好ましく、３２モル％以上６５モル％以下であることが更に好ましく、３８モル％以上５６モル％以下であることが一層好ましい。
【００６６】
第４級アンモニウム塩ポリマーが、第４級アンモニウム塩重縮合物である場合には、該重縮合物として、前述した第４級アンモニウム部位を有する単量体１種以上からなる縮合物を用い、それらの縮合物を重合することで得られた重縮合物を用いることができる。具体例としては、ジシアンジアミド／ジエチレントリアミン重縮合物、ジメチルアミン／エピクロルヒドリン重縮合物などが挙げられる。
【００６７】
前述した第４級アンモニウム塩ホモポリマー及び第４級アンモニウム塩共重合物は、ビニル系重合性単量体の単独重合法又は共重合法によって得ることができる。重合方法としては、例えばラジカル重合、リビングラジカル重合、リビングカチオン重合、リビングアニオン重合、配位重合、開環重合、重縮合などを用いることができる。重合条件に特に制限はなく、目的とする分子量、流動電位、及び／又はＩＯＢ値を有する第４級アンモニウム塩ポリマーが得られる条件を適切に選択すればよい。
【００６８】
以上に詳述したカチオン性ポリマーは上述した「血球凝集剤」の例示であり、その効果は特願２０１５−２３９２８６号の実施例１乃至４５によって参照可能である。
【００６９】
また、本発明で用いる血球凝集剤は、ポリカチオン（カチオン性ポリマー）以外に、第三成分、例えば、溶媒、可塑剤、香料、抗菌・消臭剤、スキンケア剤等の他の成分を１種以上含んだ組成物（血球凝集剤組成物）の形態であってもよい。溶媒としては、水、炭素数１ないし４の飽和脂肪族一価アルコール等の水溶性有機溶媒、又は該水溶性有機溶媒と水との混合溶媒などを用いることができる。可塑剤としては、グリセリン、ポリエチレングリコール、プロピレングリコール、エチレングリコール、１，３−ブタンジオールなどを用いることができる。香料としては、特許第４７７６４０７号公報に記載されているグリーンハーバル様香気を有する香料、植物の抽出エキス、柑橘類の抽出エキスなどを用いることができる。抗菌・消臭剤としては、特許第４５２６２７１号公報に記載されている抗菌性を有する金属を含むカンクリナイト様鉱物、特許第４５８７９２８号公報に記載されているフェニル基を有する重合性モノマーから重合された多孔性ポリマー、特許第４６５１３９２号公報に記載されている第４級アンモニウム塩、活性炭、粘土鉱物などを用いることができる。スキンケア剤としては、特許第４０８４２７８号公報に記載されている植物エキス、コラーゲン、天然保湿成分、保湿剤、角質柔軟化剤、消炎剤などを用いることができる。
【００７０】
前記血球凝集剤組成物に占めるカチオン性ポリマーの割合は、１質量％以上であることが好ましく、３質量％以上であることが更に好ましく、５質量％以上であることが一層好ましい。また、５０質量％以下であることが好ましく、３０質量％以下であることが更に好ましく、１０質量％以下であることが一層好ましい。前記血球凝集剤組成物に占めるカチオン性ポリマーの割合をこの範囲内に設定することで、吸収性物品に有効量のカチオン性ポリマーを付与することができる。
【００７１】
以上、本発明について説明したが、本発明は前述した実施形態に制限されず、本発明の趣旨を逸脱しない範囲で適宜変更可能である。例えば、第１及び第２実施形態のナプキン１，１Ａにおいては、一対の側方防漏溝８１が、３本の短溝８１ａ〜８１ｃから構成されていたが、側方防漏溝８１を構成する短溝８１ａ〜８１ｃの本数は３本に限られない。側方防漏溝８１を構成する短溝８１ａ〜８１ｃの本数は、２本以上であり、３本以上が好ましい。上限は特に制限されないが、好ましくは５本以下、より好ましくは４本以下である。また、側方防漏溝８１における複数本の短溝は、縦方向の直線状に並んでいても良いし、全体として、横方向Ｙの内方に向かって凸状に湾曲した形状の側方防漏溝８１を形成していても良く、横方向Ｙの外方に向かって凸状に湾曲した形状の側方防漏溝８１を形成していても良い。また、吸収性物品の柔軟性が向上とより防漏性を向上させる点から、側方防漏溝８１を構成する短溝８１ａ〜８１ｃの一部または、全部が横方向Ｙにおいて、重ならずに、縦方向Ｘにおいて、重なっていても良い。
【００７２】
また、血球凝集剤を含有させる下方部材は、肌側コアラップシート以外の部材、例えば吸収性コア又は非肌側コアラップシートであっても良く、また、血球凝集剤を２つ以上の下方部材に亘って含有させた状態となっても良い。例えば、肌側コアラップシート、吸収性コア及び非肌側コアラップシートのうちの任意の２つ以上に亘るように血球凝集剤を配していてもよく、また、肌側コアラップシート、吸収性コア及び非肌側コアラップシートの全部に亘るように血球凝集剤を配していてもよい。
【００７３】
また、吸収性コア４１は、厚みが平面方向の全域に亘って均一であるものに限定されず、例えば、平面方向の一部、例えば、排泄部対向部Ｂの中央部分等に、着用者の肌側に向かって隆起する隆起部を形成することもできる。斯かる隆起部は、例えば、吸収性コア４１の一部に、パルプ繊維等の構成材料の坪量を部分的に増やして形成することができる。
また吸収性物品は、サイド防漏シート及びそれによる防漏機構を有しないものであっても良く、またウイング部を有しないものであっても良い。また、本発明の吸収性物品は、生理用ナプキンの他、パンティーライナー（おりものシート）等であってもよい。
【００７４】
上述した本発明の実施形態に関し、本発明は更に以下の吸収性物品を開示する。
＜１＞
肌対向面を形成する液透過性の表面シート、非肌対向面を形成する裏面シート及びこれら両シート間に配されている吸収体を備え、着用者の前後方向に沿う縦方向及び該縦方向に直交する横方向を有する経血吸収用の吸収性物品であって、
前記肌対向面における縦方向中央線の両側それぞれに側方防漏溝を有し、該側方防漏溝は、前記表面シートが前記吸収体に陥入した複数の短溝が、短溝間に隙間を有するように、前記縦方向に並んだ構成を有しており、
前記表面シートよりも前記裏面シートに近い位置に配された下方部材に血球凝集剤が含まれており、前記側方防漏溝における前記隙間又は該隙間の横方向の内側近傍が、前記下方部材における前記血球凝集剤が配されている部位と重なっている、吸収性物品。
【００７５】
＜２＞
吸収性物品の横方向の中央部に、前記血球凝集剤が配されていない部位を有している、前記＜１＞に記載の吸収性物品。
＜３＞
前記下方部材は、吸収性物品の厚み方向において前記表面シートに隣接する部材である、前記＜１＞又は＜２＞に記載の吸収性物品。
＜４＞
前記下方部材における前記血球凝集剤が配されている部位は、前記短溝間の隙間又は該隙間の前記横方向の内側近傍と重なる重複部分における該血球凝集剤の単位面積当たりの存在量が、６ｇ／ｍ2以上８０g/m2以下である、前記＜１＞〜＜３＞の何れか１に記載の吸収性物品。
＜５＞
前記前記下方部材における前記血球凝集剤が配されている部位は、前記短溝間の隙間又は該隙間の前記横方向の内側近傍と重なる重複部分における血球凝集剤の単位面積当たりの存在量が、前記下方部材における前記防漏溝と重ならない部分の血球凝集剤の単位面積当たりの存在量より多い、前記＜１＞〜＜４＞の何れか１に記載の吸収性物品。
【００７６】
＜６＞
前記血球凝集剤の重量平均分子量が２０００以上３０００万以下である、前記＜１＞〜＜５＞の何れか１に記載の吸収性物品。
＜７＞
前記側方防漏溝は、非直線状の複数の短溝を含む、前記＜１＞〜＜６＞の何れか１に記載の吸収性物品。
＜８＞
前記非直線状の前記複数の短溝は、前記横方向の内方又は外方に向かって凸状に湾曲した湾曲部を少なくとも１つ有している、前記＜１＞〜＜７＞の何れか１に記載の吸収性物品。
＜９＞
前記側方防漏溝における前記複数本の短溝の一部または全部が、前記横方向の内方に向かって凸状に湾曲した形状をしている、前記＜１＞〜＜８＞の何れか１に記載の吸収性物品。
＜１０＞
前記側方防漏溝における前記複数本の短溝の一部または全部が、前記横方向の外方に向かって凸状に湾曲した形状をしている、前記＜１＞〜＜８＞の何れか１に記載の吸収性物品。
【００７７】
＜１１＞
前記側方防漏溝を構成する前記複数本の前記短溝の一部または全部が、前記幅方向において、重ならず、前記縦方向において、重なっている、前記＜１＞〜＜１０＞の何れか１に記載の吸収性物品。
＜１２＞
前記吸収体は、吸収性コアと、該吸収性コアを被覆するコアラップシートとを有し、
前記血球凝集剤が含まれている前記下方部材が、前記吸収性コアである、前記＜１＞〜＜１１＞の何れか１に記載の吸収性物品。
＜１３＞
前記吸収体は、吸収性コアと、該吸収性コアを被覆するコアラップシートとを有し、
前記コアラップシートは、前記吸収性コアの肌対向面側を被覆する肌側部分と、該吸収性コアの非肌対向面側を被覆する非肌部分とを有し、
前記血球凝集剤が含まれている前記下方部材が、コアラップシートの非肌部分である、前記＜１＞〜＜１２＞の何れか１に記載の吸収性物品。
＜１４＞
前記血球凝集剤が含まれている前記血球凝集剤が、２つ以上の前記下方部材に亘って含有させた状態となっている、前記＜１＞〜＜１３＞の何れか１に記載の吸収性物品。
＜１５＞
前記吸収体は、吸収性コアと、該吸収性コアを被覆するコアラップシートとを有し、
前記コアラップシートは、前記吸収性コアの肌対向面側を被覆する肌側部分と、該吸収性コアの非肌対向面側を被覆する非肌部分とを有し、
前記下方部材が、前記コアラップシートの肌側部分、前記吸収性コア及び前記コアラップシートの非肌部分を含み、
前記コアラップシートは、前記吸収性コアの肌対向面側を被覆する肌側部分と、該吸収性コアの非肌対向面側を被覆する非肌部分とを有し、
コアラップシートの肌側部分、吸収性コア及びコアラップシートの非肌部分うちの任意の２つ以上に亘るように血球凝集剤が配されている、前記＜１＞〜＜１４＞の何れか１に記載の吸収性物品。
【００７８】
＜１６＞
前記吸収体は、吸収性コアと、該吸収性コアを被覆するコアラップシートとを有し、
前記コアラップシートは、前記吸収性コアの肌対向面側を被覆する肌側部分と、該吸収性コアの非肌対向面側を被覆する非肌部分とを有し、
前記下方部材が、前記コアラップシートの肌側部分、前記吸収性コア及び前記コアラップシートの肌側部分を含み、
コアラップシートの肌側部分、吸収性コア及びコアラップシートの非肌部分の全部に亘るように血球凝集剤を配されている、前記＜１＞〜＜１５＞の何れか１に記載の吸収性物品。
＜１７＞
前記吸収性物品が生理用ナプキンである、前記＜１＞〜＜１６＞の何れか１に記載の吸収性物品。
【実施例】
【００７９】
以下、本発明を実施例により更に詳細に説明する。しかしながら本発明の範囲はかかる実施例によって何ら制限されるものではない。
〔実施例１〕
図１に示す形態の生理用ナプキンを作製し、これを実施例１のサンプルとした。表面シートとしては、縦方向Ｘに延びる畝溝を有する坪量３０ｇ／ｍ2の凹凸不織布を用い、裏面シートとしては、透湿性の樹脂フィルムを用いた。生理用ナプキンの厚みは４．２ｍｍとした。吸収体４としては、木材パルプ繊維と高吸収性ポリマーとを含む混合積繊体（吸収性コア）とし、該混合積繊体を、坪量が１６ｇ／ｍ2、厚みが０．３ｍｍの薄紙（ティッシュペーパ）で被覆したものを用いた。混合積繊体は、木材パルプ繊維の坪量が３００ｇ／ｍ2、高吸収性ポリマーの坪量が５６ｇ／ｍ2であった。高吸収性ポリマーとしては、株式会社日本触媒社製の衛生用品向け汎用グレードの高吸収ポリマーを用いた。
【００８０】
下記処方の血球凝集剤５ｇを１００ｇのイオン交換水に溶解した水溶液として調製し、その溶液を、コアラップシートにおける吸収性コアの肌対向面を被覆する部分（肌側コアラップシート）の図３の符号９で示す部分に配される部分に、滴下して含浸させた後、３０℃１０％ＲＨの条件下で２４時間静置して乾燥させ、乾燥後のコアラップシートに含有する血球凝集剤が１２ｇ／ｍ2となったものを用いた。
〔血球凝集剤の処方〕
ユニセンスＦＰＡ１００２Ｌ（センカ株式会社；ポリジアリルジメチルアンモニウムクロライド（重量平均分子量：６０万、７８５６meq/L）
【００８１】
〔実施例２〕
コアラップシートにおける吸収性コアの肌対向面を被覆する部分（肌側コアラップシート）の図４の符号９Ａで示す部分に配される部分に、市販の血球凝集剤の５％水溶液を塗布し乾燥した以外は、実施例１と同様にして生理用ナプキンを作製し、これを実施例２のサンプルとした。
〔実施例３〕
血球凝集剤の塗布量を固形分換算で５０ｇ／ｍ2で変更した以外は、実施例１と同様にして生理用ナプキンを作製し、これを実施例３のサンプルとした。
【００８２】
〔比較例１〕
血球凝集剤を使用せず、環状の防漏溝として全周に亘って連続した環状の防漏溝を形成した以外は、実施例１と同様にして生理用ナプキンを作製し、これを比較例１のサンプルとした。
〔比較例２〕
血球凝集剤を使用しない以外は、実施例１と同様にして生理用ナプキンを作製し、これを比較例２のサンプルとした。
【００８３】
〔評価試験〕
実施例及び比較例の生理用ナプキンについて、下記方法により防漏性及び柔軟性をそれぞれ評価した。その結果を下記表１に示す。
【００８４】
＜防漏性の評価方法＞
各生理用ナプキンを、表面シート２側を上側に向けて、水平面に対して４５°の角度を有する斜面上に固定した。その状態の生理用ナプキンの排泄スポット部に、３ｇの擬似血液を１０秒かけて滴下した。３分間放置後、各ナプキンの肌対向面を観察し、防漏壁を超えての液が拡散しているか否かを目視で観察した。防漏溝を超えて液が拡散していない場合、再度３ｇの擬似血液を１０秒かけて滴下し、３分間放置させ、防漏溝を超えて液が拡散するまでこの作業を繰り返し、防漏溝を超えて液が拡散した時点での擬似血液の量を測定し、以下の基準により評価した。
Ａ：  １２ｇ以上
Ｂ：  ６ｇ以上〜１２ｇ未満
Ｃ：  ６ｇ未満
なお、擬似血液は、本明細書で説明した通り、Ｂ型粘度計（東機産業株式会社製  型番ＴＶＢ−１０Ｍ、測定条件：ローターＮｏ．１９、３０ｒｐｍ、２５℃、６０秒間）を用いて測定した粘度が８ｍＰａ・ｓになるように、脱繊維馬血（株式会社日本バイオテスト研究所製）の血球・血漿比率を調製したものである。
【００８５】
＜製品柔軟性官能評価＞
製品が見えない状態（ボックスの中に入れる）で、１０人のモニターに製品を触らせ柔軟性を評価させる。比較例１の製品を柔軟性の基準とし、比較例１よりも、非常に柔軟な場合を５、柔軟な場合を４、同じ場合を３、硬い場合を２、非常に硬くなっている場合を１として比較評価を行う。この１０人分の平均値が、４．０を超え５．０以下の範囲となる場合を「Ａ」、３．５を超え４．０以下の範囲となる場合を「Ｂ」、２．５を超え３．５以下の範囲となる場合を「Ｃ」とした。
【００８６】
【表１】
0006669595.tif 000004
【００８７】
表１に示す結果から明らかなように、連続する環状の防漏溝を形成した比較例１の生理用ナプキンは、防漏性に優れる一方、柔軟性に劣り、血球凝集剤を用いていない比較例２の生理用ナプキンは、柔軟性は良好である一方、防漏性に劣る。これに対して、本発明の実施例である実施例１〜３の生理用ナプキンは、柔軟性及び防漏性の両方に優れることが判る。
【符号の説明】
【００８８】
１，１Ａ  生理用ナプキン（吸収性物品）
２  表面シート
３  裏面シート
４  吸収体
４１  吸収性コア
４２  コアラップシート
４２ａ  肌側コアラップシート
（吸収性コアの肌対向面側を被覆するコアラップシート）
５  吸収性本体
６  サイド防漏シート
７  ウイング部
８  環状の防漏溝
８１  側方防漏溝
８１ａ  前方短溝（短溝）
８１ｂ  中央短溝（短溝）
８１ｃ  後方短溝（短溝）
８１ｄ  短溝間の隙間
８２  前方防漏溝
８３  後方防漏溝
９，９Ａ  凝集剤配置部
Ａ  前方部
Ｂ  排泄部対向部
Ｐ  排泄スポット部
Ｃ  後方部
【図１】
0006669595.tif 000005
【図２】
0006669595.tif 000006
【図３】
0006669595.tif 000007
【図４】
0006669595.tif 000008